(57)【特許請求の範囲】
【請求項１】
圧縮機と発熱ランプを有する冷蔵装置の冷凍室温度及び冷蔵室温度を制御する方法において、
前記冷蔵装置内に設置された圧縮機の運転率を計算する段階と、
計算された圧縮機の運転率に基づいて前記圧縮機の作動をマイコン制御する段階とを順次行い、
前記圧縮機の運転率が、前記冷蔵装置の冷蔵室内に設置された温度感知部の温度感知信号の比率に対応し、
前記圧縮機の作動を制御する段階が、
計算された圧縮機の運転率が予め決定された運転率以下であるかを判断する段階と、
計算された圧縮機の運転率が予め決定された圧縮機の運転率以下である時に、前記冷蔵装置の周囲温度が低温だと判断し、前記冷蔵装置の冷蔵室内に設置された発熱ランプを作動させて、前記圧縮機を作動させる段階とを順次行い、それによって前記冷蔵装置の冷凍室内の温度を低下させることを特徴とする、冷蔵装置の温度制御方法。
【請求項２】
前記圧縮機の運転率が予め決定された運転率以上になった時に、前記冷蔵室内に設置された温度感知部の温度信号によって前記圧縮機を作動させ、前記発熱ランプの作動を停止する段階を更に行い、それにより前記冷蔵装置の冷凍室の温度を低温制御することを特徴とする請求項１記載の冷蔵装置の温度制御方法。
【請求項３】
圧縮機と発熱ランプを有する冷蔵装置の冷凍室温度及び冷蔵室温度を前記冷蔵装置の冷蔵室内に設置された温度感知部の温度感知信号に基づいて制御する方法において、
前記冷蔵装置内に設置された圧縮機の運転率を計算する段階と、
計算された圧縮機の運転率が予め決定された運転率以下であるかを判断する段階と、
計算された圧縮機の運転率が予め決定された圧縮機の運転率以下である時に、前記冷蔵装置の周囲温度が低温だと判断し、発熱ランプを作動させて、前記圧縮機を作動させ、それにより前記冷蔵装置の冷凍室内の温度を低下させる段階と、
前記圧縮機の運転率が予め決定された運転率以上になった時に、前記冷蔵室内に設置された温度感知部の温度感知信号の比率に基づいて前記圧縮機を作動させて、前記発熱ランプの作動を停止させる段階と、を順次行い、それにより前記冷蔵装置の冷凍室内を低温制御することを特徴とする冷蔵装置の温度制御方法。
【請求項４】
冷蔵室に設置された温度感知部の温度感知信号に基づいて圧縮機とファンを制御する冷蔵室および冷凍室を備えた冷蔵装置の運転制御装置において、
前記冷蔵室に設置され、かつ制御信号に基づいて熱を放出することにより前記冷蔵室の温度を上昇させるランプと、
前記圧縮機の運転率を計算し、計算された運転率と予め決定された運転率に基づいて前記冷蔵装置の外部温度を推論して、外部温度が低温だと判断すると、制御信号を前記ランプに出力し、前記ランプにより上昇する冷蔵室温度を感知する前記温度感知部から発生される温度感知信号に基づいて前記圧縮機を駆動し、それにより前記冷蔵装置の冷凍室内を低温制御するコンピューターとを含み、
前記マイクロコンピューターは、
計算された圧縮機の運転率が予め決定された運転率以下である時、前記冷蔵装置の外部温度が低温だと判断した後、制御信号を前記ランプに出力し、前記ランプにより上昇する冷蔵室温度を感知して温度感知信号を出力する温度感知部から前記温度感知信号を受信し、受信した温度感知信号に基づいて前記圧縮機を作動させ、
前記圧縮機の運転率が予め決定された運転率以上になった時、前記冷蔵室内に設置された温度感知部の温度感知信号に基づいて前記圧縮機を作動制御し、前記ランプの作動を停止させることを特徴とする冷蔵装置の運転制御装置。
【発明の詳細な説明】
【０００１】
【発明の属する技術分野】
本発明は、冷蔵装置に係るもので、詳しくは、冷蔵装置の温度を制御する装置及びその方法に関するものである。
【０００２】
【従来の技術】
一般に、冷蔵装置は、自体の冷却サイクルを循環する高温高圧の冷媒を調節して、外部または内部の温度を調節する。この時、前記冷蔵装置としては、冷蔵庫、空気調和機及びエアコンディショナーなどがある。以下、従来の冷蔵装置に対し、図３を用いて説明する。
図３は従来の冷蔵装置を示したブロック図である。
【０００３】
図示されたように、従来の冷蔵装置においては、冷媒を圧縮する圧縮機１１と、該圧縮機１１で圧縮された冷媒の熱を放熱する凝縮機１２と、該凝縮機１２に設置されて前記冷媒に存在する水分を除去する乾燥機１３と、該乾燥機１３に連結される冷媒管と、該冷媒管に連結されて該冷媒管の開閉を調節するソレノイドバルブ１４と、該ソレノイドバルブ１４に連結されて、該ソレノイドバルブ１４から吐出される冷媒の圧力を減少させる膨脹バルブ１５と、該膨脹バルブ１５に連結されて、前記圧力が減少された冷媒の供給を受けて、冷蔵室または冷凍室に貯蔵された食物に含まれた熱を吸収するための冷気を発生する蒸発機１６と、を含んで構成されている。即ち、従来の冷蔵装置の冷却サイクルは、前記圧縮機１１→凝縮機１２→乾燥機１３→ソレノイドバルブ１４→膨脹バルブ１５→蒸発機１６→圧縮機１１で連結されて構成されている。
【０００４】
また、前記圧縮機１１、凝縮機１２、乾燥機１３、膨脹バルブ１５、蒸発機１６及び圧縮機１１は、夫々冷媒管を通して相互連結される。以下、従来の冷蔵装置に適用された温度制御装置に対し、図４及び図５を用いて説明する。
図４及び図５は従来の冷蔵装置の温度制御装置の構成を示した図で、この時、図４は従来の温度制御装置が設置された冷蔵装置の構成を示した断面図である。
【０００５】
図５に示したように、従来の冷蔵装置の温度制御装置においては、使用者の要求に応じて、冷蔵室及び冷凍室の温度を設定する温度設定部（図示せず）と、冷蔵装置の外部に装着されて、外気温度を感知する外気温度感知センサー２１と、冷蔵室の温度を感知する冷蔵室温度感知部（図示せず）と、前記冷蔵室の温度を前記使用者により選択された温度に維持するために圧縮機２４及び冷却ファン２５の駆動を制御して、前記感知された外気温度が低温である時、制御信号を出力するマイクロコンピューター２２と、前記冷蔵装置の内蔵室内部に装着されて、前記マイクロコンピューター２２の制御信号によって熱を放出する発熱ランプ２３と、を含んで構成されている。以下、従来の冷蔵装置の温度制御装置の動作に対して説明する。
【０００６】
まず、前記温度設定部は、使用者により設定された冷蔵室及び冷凍室の温度に対応する温度信号を前記マイクロコンピューター２２に出力する。この時、前記冷蔵室に設置された温度感知部は冷蔵室の温度を感知し、該感知された温度に対応する温度信号を前記マイクロコンピューター２２に出力する。
該マイクロコンピューター２２は、前記冷蔵室温度感知部から感知された温度と前記使用者により設定された温度に基づいて、冷蔵装置の内部に装着された圧縮機２４及び冷却ファン２５を駆動させる。即ち、前記マイクロコンピューター２２は、冷蔵室の内部温度が前記使用者により設定された温度に到達する時まで前記圧縮機２４及びファン２５を駆動させる。
【０００７】
一方、前記マイクロコンピューター２２は、冬季のように冷蔵装置の外気温度が低温である時、前記外気温度と冷蔵室内の温度とが類似か同様で、即ち、冷蔵室の温度が外気温度により予め設定された温度より低くなるかそれと同様であるため、前記圧縮機２４とファン２５の駆動を停止させる。
例えば、従来の冷蔵装置の外部には、外気温度を感知する外気温度感知センサー２１が設置されて、冬季のように外気温度が低温であると、前記マイクロコンピューター２２は、前記外気温度が予め決定された温度より低くなる時、前記発熱ランプ２３から熱が放出されるように前記発熱ランプ２３を制御する。よって、従来の冷蔵装置は、前記外気温度感知センサー２１を利用して外気温度を感知することで、冷蔵室及び冷凍室の温度を所定温度に維持して食物を保管することができる。
【０００８】
一般に、冷蔵装置は、冷凍室の温度が高い時、冷凍室に冷気を供給すると同時に、冷凍室と冷蔵室間に設置された冷気ダンパーを通して前記冷気を冷蔵室に伝達して冷蔵室を所定温度に維持する。
一方、従来には、冷凍室と冷蔵室間にダンパーを設置せず、ただ、冷蔵室の温度に基づいて冷却ファン２５及び圧縮機２４の駆動を制御して、周囲温度が大きく変化しない限り、所定の冷気分配割合で冷蔵室及び冷凍室の温度を制御する方式が導入された。
【０００９】
前記方式は、前記ダンパーを設置する必要がないという長所がある。その反面、周囲温度に応じて冷気分配量は同様であるが、冷凍室と冷蔵室に流入される外部の熱量が変化し、冷蔵室の温度は所定温度に維持される反面、冷凍室の温度は上昇するという問題点があった。即ち、前記マイクロコンピューターは、冬季のように低い外部温度により冷蔵室の内部温度が低下されると、冷凍室の温度に関係なく圧縮機を駆動しない。よって、従来は、冷蔵室の温度は標準温度より低いかそれと同様であるが、冷凍室の温度は上昇して、冷凍室の内部に保管された食品が損傷されるという短所があった。
【００１０】
【発明が解決しようとする課題】
以上説明したように、従来の冷蔵装置の温度制御装置においては、圧縮機をオン／オフ制御して、冷蔵室の温度を使用者が設定した温度に維持するために、外気温度を感知する外気温度感知センサー２１を冷蔵装置の外部に設置しなければならないという不都合な点があった。
【００１１】
又、従来の冷蔵装置の温度制御装置に適用された外気温度感知センサー２１は、冷蔵装置の内側または冷蔵装置の外側カバー内に設置されているため、実際には外気を正確に計算し得ないという不都合な点があった。
且つ、従来の冷蔵装置の温度制御装置においては、冬季のように低い外部温度により冷蔵室の内部温度が低下すると、冷凍室の温度に関係なく圧縮機を駆動しないことによって、冷凍室の温度が上昇して、冷凍室の内部に保管された食品が損傷されるという不都合な点があった。
【００１２】
本発明は、このような従来の課題に鑑みてなされたもので、冷蔵装置内に設置された圧縮機の運転率を計算して、該計算された圧縮機の運転率に基づいて前記圧縮機の作動を制御することによって、外気温度感知センサー及びダンパーを設置する必要なしに、冷蔵装置の温度を正確に制御し得る冷蔵装置の温度制御方法及び冷蔵装置の運転制御装置を提供することを目的とする。
且つ、冷蔵装置に外気温度感知センサー及びダンパーを設置しないことで、冷蔵装置の製造費用を節減し得る冷蔵装置の温度制御方法及び冷蔵装置の運転制御装置を提供することを目的とする。
【００１３】
【課題を解決するための手段】
このような目的を達成するため、本発明に係る冷蔵装置の温度制御方法は、圧縮機と発熱ランプを有する冷蔵装置の冷凍室温度及び冷蔵室温度を制御する方法において、前記冷蔵装置内に設置された圧縮機の運転率を計算する段階と、計算された圧縮機の運転率に基づいて前記圧縮機の作動をマイコン制御する段階とを順次行い、前記圧縮機の運転率が、前記冷蔵装置の冷蔵室内に設置された温度感知部の温度感知信号に基づいて決定され、前記圧縮機の作動を制御する段階が、計算された圧縮機の運転率が予め決定された運転率以下であるかを判断する段階と、計算された圧縮機の運転率が予め決定された圧縮機の運転率以下である時に、前記冷蔵装置の周囲温度が低温だと判断し、前記冷蔵装置の冷蔵室内に設置された発熱ランプを作動させて、前記圧縮機を作動させる段階とを順次行い、それによって前記冷蔵装置の冷凍室内の温度を低下させることを特徴とする。
【００１４】
好適には、前記圧縮機の運転率が予め決定された運転率以上になった時に、前記冷蔵室内に設置された温度感知部の温度信号によって前記圧縮機を作動させ、前記発熱ランプの作動を停止する段階を更に行い、それにより前記冷蔵装置の冷凍室の温度を低温制御する。
【００１５】
更に、本発明に係る冷蔵装置の他の温度制御方法は、圧縮機と発熱ランプを有する冷蔵装置の冷凍室温度及び冷蔵室温度を前記冷蔵装置の冷蔵室内に設置された温度感知部の温度感知信号に基づいて制御する方法において、前記冷蔵装置内に設置された圧縮機の運転率を計算する段階と、計算された圧縮機の運転率が予め決定された運転率以下であるかを判断する段階と、計算された圧縮機の運転率が予め決定された圧縮機の運転率以下である時に、前記冷蔵装置の周囲温度が低温だと判断し、発熱ランプを作動させて、前記圧縮機を作動させ、それにより前記冷蔵装置の冷凍室内の温度を低下させる段階と、前記圧縮機の運転率が予め決定された運転率以上になった時に、前記冷蔵室内に設置された温度感知部の温度感知信号の比率に基づいて前記圧縮機を作動させて、前記発熱ランプの作動を停止させる段階と、を順次行い、それにより前記冷蔵装置の冷凍室内を低温制御することを特徴とする。
【００１６】
本発明に係る冷蔵装置の運転制御装置は、冷蔵室に設置された温度感知部の温度感知信号に基づいて圧縮機とファンを制御する冷蔵室および冷凍室を備えた冷蔵装置の運転制御装置において、前記冷蔵室に設置され、かつ制御信号に基づいて熱を放出することにより前記冷蔵室の温度を上昇させるランプと、前記圧縮機の運転率を計算し、計算された運転率と予め決定された運転率に基づいて前記冷蔵装置の外部温度を推論して、外部温度が低温だと判断すると、制御信号を前記ランプに出力し、前記ランプにより上昇する冷蔵室温度を感知する前記温度感知部から発生される温度感知信号に基づいて前記圧縮機を駆動し、それにより前記冷蔵装置の冷凍室内を低温制御するコンピューターと、を含んで構成されることを特徴とする。
【００１７】
好適には、前記マイクロコンピューターは、計算された圧縮機の運転率が予め決定された運転率以下である時、前記冷蔵装置の外部温度が低温だと判断した後、制御信号を前記ランプに出力し、前記ランプにより上昇する冷蔵室温度を感知して温度感知信号を出力する温度感知部から前記温度感知信号を受信し、受信した温度感知信号に基づいて前記圧縮機を作動させる。
【００１８】
好適には、前記マイクロコンピューターは、前記圧縮機の運転率が予め決定された運転率以上になった時、前記冷蔵室内に設置された温度感知部の温度感知信号に基づいて前記圧縮機を作動制御し、前記ランプの作動を停止させる。
【００１９】
【発明の実施の形態】
以下、冷蔵装置内に設置された圧縮機の運転率を計算して、該計算された圧縮機の運転率に基づいて前記圧縮機の動作を制御することで、外気温度感知センサー及びダンパーを設置する必要なしに、前記冷蔵装置の温度を正確に制御し得る冷蔵装置の温度制御装置及びその方法の好ましい実施形態に対し、図１及び図２を用いて説明する。
図１及び図２は、本発明に係る冷蔵装置の温度制御装置の構成を示した図で、この時、図１は、本発明に係る温度制御装置が設置された冷蔵装置の構成を示した図である。即ち、外気温度感知センサー及びダンパーが設置されない。
【００２０】
図２に示したように、本発明に係る冷蔵装置の温度制御装置においては、使用者の要求に応じて冷蔵室及び冷凍室の温度を設定する温度設定部（図示せず）と、前記冷蔵装置の冷蔵室内に設置されて、前記冷蔵室内の温度が予め設定された温度を超過する時、温度感知信号を出力する温度感知部（図示せず）と、前記冷蔵装置の冷蔵室内部に設置されて、制御信号によって熱を放出する発熱ランプ２３と、前記温度感知部の温度感知信号に基づいて前記圧縮機２４の駆動を制御したり、前記冷蔵装置内に設置された圧縮機２４の運転率を計算して、該計算された圧縮機の運転率に基づいて前記制御信号を出力することで、前記圧縮機２４及び冷却ファン２５の駆動を制御するマイクロコンピューター１００と、を含んで構成されている。この時、前記圧縮機の運転率は、前記温度感知部から出力される温度感知信号の比率により決定される。即ち、前記温度感知信号の比率が１００％であると、前記圧縮機の運転率も１００％である。
【００２１】
以下、本発明に係る冷蔵装置の温度制御装置の動作に対して説明する。
まず、ダンパーが設置されない冷蔵装置の冷蔵室制御方式において、外気温度が低温である時、冷蔵室内部の温度が冷蔵装置の周辺温度と同様か類似になる。例えば、冬季に非常に寒くなる場合、冷蔵装置内の冷蔵室内部の温度が冷蔵装置の周辺温度と同様か類似になる。この時、前記冷蔵室の温度が予め設定された温度（標準温度）より低いかそれと同様であるため、冷蔵装置内に設置された圧縮機２４が運転しないこともある。即ち、外気温度により冷蔵室内の温度が標準温度以下かそれと同様で、冷蔵装置の圧縮機２４が運転しないことにより、冷蔵室内の温度は標準温度以下かそれと同様であるが、冷凍室の温度は急激に上昇して、冷凍室に保管中の食物が致命的に損傷される。
【００２２】
従って、前記マイクロコンピューター１００は、前記冷凍室の温度が上昇する現象を防止するために、前記冷蔵装置内に設置された前記圧縮機２４の運転率を計算して、該計算された圧縮機の運転率が前記予め決定された圧縮機の運転率以下であると、冷蔵装置の周囲温度が低温だと判断した後、前記発熱ランプ２３に制御信号を出力して、該発熱ランプ２３により上昇する冷蔵室の温度を感知して温度感知信号を出力する温度感知部から前記温度感知信号を受信し、該受信された温度感知信号に基づいて前記圧縮機２４を作動させて、前記冷凍室の温度を低下させる。
【００２３】
この時、予め決定された圧縮機の運転率は１０％と決定することが好ましい。例えば、前記マイクロコンピューター１００は、１時間の間に前記圧縮機２４が１７分間運転して、残りの４３分間は運転しなかった時、前記圧縮機２４の運転率を１０％と計算する。この時、前記マイクロコンピューター１００は、計算された圧縮機の運転率（１０％）が前記予め決定された圧縮機の運転率（１０％）より低いかそれと同様である時、前記発熱ランプ２３を作動させて、前記温度感知信号の比率によって前記圧縮機２４を作動させる。即ち、周囲温度が低くなるほど冷蔵装置内に流入する外部の熱量が減少し、冷蔵室内に設置された温度感知部から前記マイクロコンピューター１００に出力される温度感知信号の比率が減少する。
【００２４】
他の例を挙げると、周囲温度が５℃である時、前記温度感知部から前記マイクロコンピューター１００に出力される温度感知信号の比率が１０％であると、前記圧縮機の運転率も１０％になる。この時、１時間を１００％と仮定すると、前記圧縮機は約１７分間運転する。即ち、前記マイクロコンピューターは、前記圧縮機の運転率を計算して、計算された運転率と予め決定された運転率に基づいて前記冷蔵装置の外部温度を推論して、前記圧縮機の運転率が１０％になると、周囲温度が低温だと判断して、前記発熱ランプ２３から熱を放出させるために、制御信号を前記発熱ランプ２３に出力して冷蔵室の温度を上昇させ、前記温度感知部は、冷蔵室の温度が上昇するにつれて、温度感知信号を前記マイクロコンピューター１００に出力し、該マイクロコンピューター１００は、前記温度感知信号の比率に基づいて前記圧縮機２４を作動させて、冷凍室温度を低下させる。
【００２５】
その反面、前記マイクロコンピューター１００は、計算された圧縮機の運転率が予め決定された圧縮機の運転率以上であると、周囲温度が高いと判断し、前記温度感知部の温度感知信号によって前記圧縮機２４の作動を制御する。
例えば、予め決定された圧縮機の運転率を１０％と仮定し、前記圧縮機が３０分間運転されて、残りの３０分間は運転されない時、前記圧縮機の運転率は５０％と計算される。
【００２６】
この時、前記マイクロコンピューター１００は、計算された圧縮機の運転率（５０％）が予め決定された圧縮機の運転率（１０％）以上であるため、前記温度感知部の温度感知信号によって前記圧縮機２４を作動させる。即ち、冷蔵装置の周囲温度が３０℃である時、温度感知部の温度感知信号の比率を５５％とすると、周囲温度が高くなるほど冷蔵装置に流入される外部の熱量が増加して、前記温度感知信号の比率が増加する。よって、前記マイクロコンピューター１００は、前記温度感知部から発生される温度感知信号の比率によって前記圧縮機を作動させる。
【００２７】
【発明の効果】
以上説明したように、本発明に係る冷蔵装置の温度制御方法及びその運転制御装置においては、圧縮機の運転率を計算し、計算された圧縮機の運転率に基づいて圧縮機の動作を制御することによって、外気温度感知センサー及びダンパーを設置する必要なしに、冷凍室の温度を正確に低温制御し得るという効果がある。
且つ、ダンパー及び外気温度感知センサーを冷蔵装置に設置しないことで、冷蔵装置の製造費用を節減し得るという効果がある。
【図面の簡単な説明】
【図１】  本発明に係る冷蔵装置の温度制御装置の構成を示した断面図である。
【図２】  本発明に係る冷蔵装置の温度制御装置の構成を示したブロック図である。
【図３】  従来の冷蔵装置を示したブロック図である。
【図４】  従来冷蔵装置の温度制御装置の構成を示した断面図である。
【図５】  従来冷蔵装置の温度制御装置の構成を示したブロック図である。
【符号の説明】
２３…発熱ランプ
２４…圧縮機
２５…冷却ファン
１００…マイクロコンピューター
【図１】
0003884388.tif 000002
【図２】
0003884388.tif 000003
【図３】
0003884388.tif 000004
【図４】
0003884388.tif 000005
【図５】
0003884388.tif 000006